(57)【特許請求の範囲】
【請求項１】
合流式下水道における、降雨時の降雨水と汚水とを合流させた下水である雨水を処理するための処理装置であって、
浮上ろ材層を有し、該浮上ろ材層の上側のみにスクリーンを配置した複数の上向流式の高速ろ過槽と、
該複数の高速ろ過槽の上面に設け該高速ろ過槽からの処理水を集合させる共通処理水槽と、
該共通処理水槽内に貯められた処理水の下向流により前記高速ろ過槽の洗浄を行なう逆洗手段と、
各高速ろ過槽の洗浄排水を集合させる洗浄排水槽と、
該複数の高速ろ過槽の上部に流入雨水を分配する雨水流入水路と、
雨水流入水路から分配した雨水を各高速ろ過槽の該浮式ろ材層の下方に流下させる雨水流入部と、
を具えることを特徴とする雨水処理装置。
【請求項２】
合流式下水処理場の最初沈殿池を区画して形成される請求項１記載の雨水処理装置。
【請求項３】
雨水流入水路が流入堰を介して各高速ろ過槽の雨水流入部に雨水を自然流下により分配するものである請求項１または２記載の合流式下水道における雨水処理装置。
【請求項４】
雨水流入水路に、過剰の雨水をオーバーフローさせ高速ろ過槽をバイパスさせる雨水バイパスゲートを設けた請求項１乃至３のいずれかに記載の合流式下水道における雨水処理装置。
【請求項５】
さらに、雨水処理停止時に下水処理場の二次処理水を共通処理槽に供給する二次処理水供給管を有する請求項１乃至４のいずれかに記載の合流式下水道における雨水処理装置。
【請求項６】
合流式下水道における下水処理システムであって、
下水を受け入れる沈砂池と、
該沈砂池の下流に設けた最初沈殿池と、
該沈殿池の下流に設けた反応槽とからなる第１の下水処理部と、
該沈砂池の下流に設けた第２の下水処理部とを具え、
該第２の下水処理部が、請求項１記載の雨水処理装置からなり、
下水の被処理水量が所定の設計水量以下の場合には第１の下水処理部において下水処理を行い、
下水の被処理水量が所定の設計水量を超える場合には第１の下水処理部の該下水処理に加えて、該所定の設計水量を超えた水量の下水については第２の下水処理部において下水処理を行うことを特徴とする下水処理システム。
【請求項７】
前記第２の下水処理部が合流式下水処理場の最初沈殿池を区画して形成した請求項６記載の下水処理システム。
【請求項８】
雨水流入水路が流入堰を介して各高速ろ過槽の雨水流入部に雨水を自然流下により分配するものである請求項６または７記載の下水処理システム。
【請求項９】
雨水流入水路に、過剰の雨水をオーバーフローさせ高速ろ過槽をバイパスさせる雨水バイパスゲートを設けた請求項６乃至８のいずれかに記載の下水処理システム。
【請求項１０】
さらに、雨水処理停止時に下水処理場の二次処理水を共通処理槽に供給する二次処理水供給管を有する請求項６乃至９のいずれかに記載の雨水処理装置。
【請求項１１】
前記最初沈殿池は前記沈砂池の下流に第１の下水槽を介して設けられ、前記第２の下水処理部が前記沈砂池の下流に第２の下水槽を介して設けられた請求項６乃至１０のいずれかに記載の雨水処理装置。
【請求項１２】
前記第１の下水槽と前記第２の下水槽とが共通の一つの下水槽である請求項１１記載の下水処理システム。
【請求項１３】
請求項１乃至５のいずれかに記載の雨水処理装置において、圧力損失が所定のレベルを超えた高速ろ過槽に対して、共通処理水槽内の処理水を該高速ろ過槽に下向きに流して逆洗を行なうことを特徴とする合流式下水道における雨水処理装置の逆洗方法。
【請求項１４】
さらに、雨水処理停止時に下水処理場の二次処理水を共通処理槽に供給して前記複数の高速ろ過槽を逆洗することを特徴とする請求項１３記載の逆洗方法。
【請求項１５】
請求項６乃至１２いずれかに記載の合流式下水道における下水処理システムにおいて、圧損が所定のレベルを超えた前記高速ろ過槽に対して、共通処理水槽内の処理水を該高速ろ過槽に下向きに流す逆洗を行なうことを特徴とする合流式下水道における雨水処理装置の逆洗方法。
【請求項１６】
さらに、雨水処理停止時に下水処理場の二次処理水を共通処理槽に供給して前記複数の高速ろ過槽を逆洗いすることを特徴とする請求項１５記載の雨水処理装置の逆洗方法。
【発明の詳細な説明】
【０００１】
【発明の属する技術分野】
本発明は、汚水と降雨水が下水として合流する合流式下水道における雨水処理装置及びその逆洗方法に関するものである。さらに、本発明は、かかる雨水処理装置を用いて設計水量を超える降雨時でも下水を確実に処理することのできる下水処理システムに関する。なお、本明細書および請求の範囲では「雨水」の語を、降雨時における降雨水と汚水との合流水である下水の意味で使用するものとし、普通の意味の雨水を「降雨水」と記載して区別する。
【０００２】
【従来の技術】
汚水と降雨水との合流式下水道においては、晴天時と降雨時との流量が大幅に変化する。一般に合流式下水処理場では、降雨時における下水処理場への時間最大流入水量を降雨水がなかったとした場合の時間最大流入水流量である設計水量Ｑの３倍の３Ｑに規制している。Ｑを超えない場合については晴天時と同様の通常処理を行なうことができるが、Ｑを超え３Ｑまでの分については処理場反応槽の通常の処理能力を超えるため、最初沈殿池で沈殿をさせた後放流する簡易処理を行なっている。そしてさらに水量が増して３Ｑを超えた場合には、全く処理することなくそのまま河川等に直接放流しているのが実情である。
従って、水量がＱを超えて増加した場合には殆どの汚濁物質が、そのまま河川等に放流されることとなり、環境を汚染する結果となる。特に下水道の普及が早かった大都市では合流式下水道が採用されていることが多いため、ウオーターフロントの開発に伴いこの環境問題が顕在化しつつある。
【０００３】
このような問題に対処するため、現在、浮上ろ材層を備えた雨水の高速ろ過装置が積極的に開発されつつある。しかしながら、現在研究段階で行われている雨水高速ろ過装置はろ材厚さを２ｍ以上で、且つ下部にろ材流出防止スクリーンを必要とするものであり、あるいは処理効率を向上させるために凝集剤を投入する機構を具備した装置となっており、実用化に際しては、水深２．５〜４ｍの既設最初沈殿池等の土木設備を利用することが不可能であるため、土木構造物から新規に構築する必要があり、多大な費用を要する技術であった。
【０００４】
【発明が解決しようとする課題】
本発明は上記した従来の問題点を解決して、Ｑを超える雨水が流入したり、更に３Ｑを超える大量の雨水が流入した場合にも、大部分の汚濁物質を除去することができる合流式下水道における雨水処理装置を提供するためになされたものである。更に本発明は、雨水処理装置を設置する場合に既存の最初沈殿池を簡易に改造することにより安価に設置が可能となる雨水処理装置及びその逆洗方法を提供するものである。また本発明の他の目的は、ほとんどメンテナンスの手数を要することなく上記の目的を達成できる合流式下水道における雨水処理装置及びその逆洗方法を提供することである。さらに、本発明は該雨水処理装置を用いる下水処理システムに関する。
【０００５】
本発明は、上記の課題を解決するためになされたもので本発明の第１の視点は、浮上ろ材層を有し、該浮上ろ材層の上側のみにスクリーンを配置した複数の上向流式の高速ろ過槽と、該複数の高速ろ過槽の上面に設け該高速ろ過槽からの処理水を集合させる共通処理水槽と、各高速ろ過槽の洗浄排水を集合させる洗浄排水槽と、該複数の高速ろ過槽の上部に流入雨水を分配する雨水流入水路と，及び雨水流入水路から分配した雨水を各高速ろ過槽の該浮式ろ材層の下方に流下させる雨水流入部とからなることを特徴とする合流式下水道における雨水処理装置を提供するものである。
本発明に係る雨水処理装置は、従来の合流式下水処理場の最初沈殿池を区画して該雨水処理装置を形成することができる。
【０００６】
本発明の第２の視点は、下水を受け入れる沈砂池と、該沈砂池の下流に設けた最初沈殿池と、該沈殿池の下流に設けた反応槽とからなる第１の下水処理部と、該沈砂池の下流に設けた第２の下水処理部とからなる合流式下水道における下水処理システムであって、該第２の下水処理部が、上記第１の視点に係る雨水処理装置からなり、下水の被処理水量が所定の設計水量以下の場合には第１の下水処理部において下水処理を行い、下水の被処理水量が所定の設計水量を超える場合には第１の下水処理部の該下水処理に加えて、該所定の設計水量を超えた水量の下水については第２の下水処理部において下水処理を行うことを特徴とする合流式下水道における下水処理システムに関する。
【０００７】
本発明の雨水処理装置は、既存の、例えば、槽高２．５〜４ｍの最初沈殿池を改造して収めることができるが、その理由として、従来より細かいろ材を用いるため、浮上ろ材層の厚みは２ｍ未満の０．５〜１ｍ程度と薄くすることが可能で、かつ下部スクリーンを不要として、更に凝集剤添加の設備を要しないコンパクトな高速ろ過設備を実現でき、一回分の洗浄水量を減らすために高速ろ過槽を複数設けて共通処理水槽の層厚を薄くできたためである。更に雨水は、水量変動に対応させるため、雨水流入水路の流入堰を介して各高速ろ過槽の雨水流入部に雨水を自然流下により分配するものであることが好ましい。また雨水流入水路の末端に過剰の雨水をオーバーフローさせ高速ろ過槽をバイパスさせる雨水バイパスゲートを設けることにより、予想以上の雨量にも対応させることができる。
【０００８】
また本発明の合流式下水道における雨水処理装置及び下水システムの逆洗方法は、上記の合流式下水道における雨水処理装置において、圧損が高まった高速ろ過槽に対して、共通処理水槽内の処理水を下向きに流す逆洗を行なうことを特徴とするものである。
上記のように、本発明では合流式下水処理場の最初沈殿池を区画して上向流式の高速ろ過槽などを設置し、降雨時に流入する大量の雨水を雨水流入水路を介して各槽に分配し、充填された浮上ろ材により高速ろ過させることができる。このためＱを超える雨水が流入したり、更に３Ｑを超える大量の雨水が流入した場合にも、大部分の汚濁物質を除去することができる。また既設の最初沈殿池の一部を区画して高速ろ過槽などを設置するので、新たな土木設備の構築と設置スペースの確保を必要としない。さらに以下に詳しく説明するように、本発明ではほとんどメンテナンスの手数を要することなく運転することができる。
【０００９】
【発明の実施の形態】
以下に本発明の好ましい実施形態を説明する。
図１は本発明の雨水処理装置を示す平面図、図２は図１のＩＩ−ＩＩ線に沿う断面図である。この実施形態では、合流式下水処理場に設けられていた最初沈殿池のうち、その必要分を従来の最初沈殿池１のまま残し（図では、２列の最初沈殿池とした）、余った最初沈殿池に複数の高速ろ過槽３と、洗浄排水槽４とを形成してある（図では、２列の高速ろ過槽と洗浄排水槽とした）。この結果、最初沈殿池１の水面積が従来よりも減少するが、下水処理技術の進歩により最近では最初沈殿池１の水面積が以前よりも小さく面積で足りるようになっており、合流式下水処理場では最初沈殿池１の処理能力がが余っていることが多いため、通常の下水処理に影響はない。あるいは、結果として最初沈殿池は、晴天時の時間最大下水量までしか受け入れなくなるため、通常の下水処理に影響がない。
【００１０】
図１の左側の部分には、下水が供給される沈砂池５と、設定水量及び降雨量に基づいて沈砂池からの下水が分配される雨水槽６と、汚水槽７とが設けられている。処理場によっては、この雨水槽６と、汚水槽７は共通槽となる場合もある。従来、流入下水は全量を沈砂池５に受け入れたうえ、設計水量である３Ｑまでを汚水ポンプ８により従来の最初沈殿池１に導く。そして最初沈殿池１でＳＳを分離した水は後段の反応槽に送られ、従来通りの処理が行われる。晴天時には流入下水の量はＱ以下であるから、このラインのみが運転されることは従来と同じである。本発明においては、降雨時には流入水量はＱを越えるため場合もあるため、Ｑを越えた全量を高速ろ過槽３側に導く。従って必要に応じて汚水ポンプ８からの送水管を高速ろ過槽３へ導く改造も行う。
【００１１】
高速ろ過槽３は、中段部分にスクリーン１０を張りその下部に浮上ろ材１１を充填したろ過槽である。この実施形態では全部で８槽が２列に配置されているが、槽数は複数であればその数は任意である。これらの高速ろ過槽３は上向流式のろ過槽であり、図３に示されるように各槽ごとに垂直な雨水流入部１２を備えている。雨水はこれらの雨水流入部１２から槽下部に供給され、浮上ろ材１１の充填層を上向きに通過する間に夾雑物，ＳＳが捕捉され、処理水は上方に抜ける。図示のように各高速ろ過槽３の上面は共通処理水槽１３となっており、処理水はその端部（図面上の右端部）から雨水処理水路１４に流れ、河川等に放流される。この実施形態では４槽ずつ共通処理水槽１３で連結されている。通常の最初沈殿池流出部には、簡易処理水バイパス放流水路が設置されており、その水路を利用すれば雨水処理水路に改造することは可能である。
【００１２】
また高速ろ過槽３の上部には、前記した各槽の雨水流入部１２に雨水を分配する雨水流入水路１５が形成されている。この雨水流入水路１５は損失水頭分の水位を確保できるように高い位置に設置され、例えば雨水流入水路１５の流入堰高さは共通処理水槽１３の液面よりも０．２〜１ｍ程度以上高くしておく。そして、雨水時のファーストフラッシュを処理する場合には、ろ過損失水頭分をその範囲内で高めにとり、雨天後の例えば晴天時に長時間処理する場合には、その範囲内で低めにとることができる。前記した雨水ポンプ９、あるいは必要に応じて汚水ポンプ８によって雨水はこの雨水流入水路１５に揚水され、雨水流入水路１５に設けられた複数の流入堰１６を介して対応する各高速ろ過槽３の雨水流入部１２に雨水を自然流下により分配する。
【００１３】
前記したように、降雨時にＱを越えた流入水の全量が雨水ポンプ９あるいは必要に応じてポンプ８によって雨水流入水路１５に揚水される。本発明の雨水処理装置は３Ｑを大きく超える流入水量（例えば５Ｑ〜７Ｑ）に対応できるものであるが、それでも異常な大雨の場合などには、処理能力を超える可能性もある。そこで雨水流入水路１５の、例えば、末端に過剰の雨水をオーバーフローさせる雨水バイパスゲート１７を設け、過剰の雨水を雨水処理水路１４に流下させ、河川等に直接放流できるようにしておくことが好ましい。なおこの雨水バイパスゲート１７の高さは予め任意に設定可能である。
本発明で用いられる浮上ろ材１１としては、みかけ密度が０．１〜０．４で、５０％圧縮硬さが０．１ＭＰａ以上の発泡高分子からなるものが好ましい。このような物性を持つ発泡高分子としては、ポリプロピレン、ポリスチレン、ポリエチレン等があり、これらの中でも発泡度を制御された独立気泡型の発泡ポリエチレンは耐熱性、耐薬品性、対候性にも優れ好ましいものである。
【００１４】
浮上ろ材１１のみかけ密度は、０．１未満であると望ましい圧縮硬さを得ることができず、また逆洗時に浮上ろ材の充填層を膨張させにくくなる。逆に０．４を超えると逆洗時に下方に流出するおそれがある。また５０％圧縮硬さが０．１ＭＰａよりも小さいと、高速ろ過の際にろ材が圧密されてしまい、多量のＳＳを捕捉できなくなる。なお５０％圧縮硬さとは、ろ材を高さが半分になるまで押し潰すに要する圧力を意味する。
【００１５】
また本発明で用いられる浮上ろ材１１としては、サイズが４〜１０ｍｍの凹凸状または筒状のものが好ましい。ここで凹凸状とは、立方体や球体のような単純形状ではなく、外表面に何らかの凹凸を備えた異形状を意味するものである。このような凹凸状の浮上ろ材１１は、相互間に非直線的な大きい間隙を形成し、多量のＳＳを捕捉できる利点がある。また円筒状や各筒状の浮上ろ材１１も、同様に多量のＳＳを捕捉できる利点がある。
図７〜図１１に、本発明で用いることができるろ材を例示する。図７には４枚の腕９を持つろ材を示し、図８には断面四角形状の板状体の外周面に波上の凹凸を形成したろ材２を示し、図９には断面がＺ状のろ材を示し、図１０にはチューブ上のろ材を示し、図１１には図７の羽根部分を変形した風車型のろ材を示す。
【００１６】
浮上ろ材１１のサイズは４ｍｍよりも小さいと閉塞し易いために高速ろ過に適さず、１０ｍｍを超えるとＳＳの捕捉率が低下する。異形状の浮上ろ材１１のサイズとは、外径寸法の最大値をいうものとする。なお、上記の浮上ろ材１１のほかに、さらにみかけ密度の小さい球状ろ材を充填することも可能である。
【００１７】
このような浮上ろ材１１が充填された高速ろ過槽３は、ろ材の圧密がなく多量のＳＳを捕捉できるため、大量の雨水を高速処理することができる。しかしＳＳの捕捉量が増加するにつれて圧損が増加してろ過能力が低下するため、逆洗の必要が生じる。このため、各高速ろ過槽３の底部には洗浄排水弁１８を設け、槽下部の水を洗浄排水管１９を経由して洗浄排水槽４に排出できるようにしてある。すなわち、いずれかの高速ろ過槽３の洗浄排水弁１８を開くと、上部の共通処理水槽１３内の処理水がその開けた洗浄排水弁１８を有する高速ろ過槽３を通じて下方に逆流し、浮上ろ材１１の充填層の逆洗が行なわれる。洗浄排水は洗浄排水槽４に設けられた排水ポンプ２０により、図１に示すように汚水流入水路２２あるいは、従来の最初沈殿池１に導かれて処理される。本実施態様では、洗浄排水弁１８を用いたが、洗浄排水弁１８を用いずにサイフォン方式の排水路により洗浄排水を排出することもできる。
【００１８】
本設備は、停止時の悪臭を防止するため下水処理場の二次処理水（二次処理水とは反応槽で処理した後のもの）により高速ろ過槽３の洗浄を行うことが可能である。このため、二次処理水を共通処理水槽に供給する二次処理水供給管２１が具備されている。
【００１９】
以下に本発明の雨水処理装置による雨水処理方法を、その逆洗方法とともに説明する。
まず晴天時には、沈砂槽５に流入する合流下水量は設計水量Ｑ以下であるから、その全量が汚水ポンプ８により従来の最初沈殿池１に導かれ、従来通りの下水処理が行われる。
降雨開始により沈砂槽５に流入する合流下水量が設計水量Ｑを超えると、超過分は全て雨水ポンプ９あるいは必要に応じて汚水ポンプ８によって雨水流入水路１５に揚水され、図４R>４のように各流入堰１６を介して各高速ろ過槽３の雨水流入部１２に自然流下により分配される。分配された雨水は一旦ろ材層下部に流下した後各高速ろ過槽３のろ材層内部を上向きに流れてろ過され、処理水は共通処理水槽１３から雨水処理水路１４を経由して河川等に放流される。
【００２０】
前記したように本発明の雨水処理装置は大量の雨水を高速ろ過することができ、流入水量が異常に増加しないかぎり、雨水量が変動しても、その変動に対応して設計水量Ｑの超過分を全てろ過することができる。本発明における高速ろ過槽のＳＳ除去率は７０％程度であるから、従来とは異なり３Ｑを超える大量の雨水が流入した場合にも、大部分の汚濁物質を除去することができる。
【００２１】
降雨が継続すると、各高速ろ過槽３の圧損が次第に増加してくるがその増加にはばらつきが生じるのが普通である。各高速ろ過槽３の圧損は、共通処理水槽１３の水位と雨水流入部水位との差で知ることができるが、共通処理水槽１３の水位は各槽共通であるため同一水位であり、各槽の圧損上昇は雨水流入部水位の上昇分で把握することができる。図５は例としてこの状態を示すものであり、左端の槽の圧損が高くなり、雨水流入部１２の水位が他の槽に比べて著しく上昇している様子を示している。その結果、雨水流入水位が雨水流入水路１５の水位近くまで上昇するが、事前に決めたろ材圧損あるいは、雨水流入部水位に達した時点で自動的に洗浄が開始される。
【００２２】
このように降雨の継続により、遅かれ早かれ全ての高速ろ過槽３の圧損が次第に高まりろ過不能に至るが、前述した自動洗浄のタイミングの圧損に至った高速ろ過槽３より順次逆洗を行なう。前記したように逆洗は底部の洗浄排水弁１８を開き、共通処理水槽１３内の処理水を下向きに流すことにより行なわれる。図６はこの状態を示すものであり、左端の槽が逆洗中である。前記したようにみかけ密度が、例えば０．１〜０．４の浮上ろ材１１を使用すれば、逆洗水とともにろ材が流出することを効果的に防止することが可能となる。逆洗水は洗浄排水槽４に入り、排水ポンプ２０により従来の汚水流入水路２あるいは、最初沈殿池１に導かれて処理される。このように、逆洗も洗浄排水弁１８を開くだけで自然に行なわれ、洗浄用ポンプを運転するなどの操作を要しない。なお、洗浄中においても雨水は雨水流入部１２より継続的に流入すると共に、洗浄される槽以外の高速ろ過槽は高速ろ過処理が継続的に進行するため共通処理槽１３へは常に処理水が供給される。一方、１槽の逆洗に要する時間はろ材の厚さによるが、ろ材厚さが０．５〜１ｍの場合は１〜２分程度である。
【００２３】
また、図６に示すようにまれに、左端の槽の洗浄中に左側から２番目の槽が逆洗のタイミングを迎えることがある。この場合、左端の槽の洗浄が終わり、共通処理水槽１３の水位が所定量に達するまで左側から２番目の槽は、洗浄待機中となる。この場合でもこの槽は処理を続けるため、圧損のさらなる上昇により最高で雨水流入水路１５と雨水流入部１２の水位が同レベルとなる場合がある。この場合この槽での処理量は、その槽のろ材の圧損に見合う量しか処理されないため、雨水流入水路１５から雨水流入部への水の移動量は他の槽と比べて減じることになる。この場合減じた水量分は他の槽の雨水流入部１２へ流入し処理されることになる。従って、このようにたまたま逆洗のタイミングが重なっても、雨水流入操作に関する一切の維持管理操作はない。また、本発明においては前述したように洗浄時間は２分程度であり、洗浄待機の時間は事実上問題になることはない。
【００２４】
以上示したように圧損が所定レベルまで高まった槽に対して上記の逆洗を順次行ないながら、雨水の処理を継続するが、このように特別な流量調整を行わなくても各高速ろ過槽３への流入量は自然に調整される。
【００２５】
さらに、流入水量が異常に増加した場合には雨水流入水路１５の末端に設けた雨水バイパスゲート１７から過剰の雨水を雨水処理水路１４に流下させ、河川等に直接放流する。この雨水バイパスゲート１７のゲート高さは事前に調整しておくため、雨天時の特別な操作は不要である。
【００２６】
なお降雨が終了して流入水量が低下すると、高速ろ過槽３への雨水の流入量は自然に減少していく。しかしながら、流入水量がなくなるタイミングの事前予測は不可能であり、高速ろ過槽３は各槽の程度は異なるがろ材中に汚濁物質を抑留した状態でろ過は自然終了することになる。このように晴天時には高速ろ過槽３への流入がこのような状態で完全に停止することとなるが、そのまま放置するとろ材中の汚濁物質により悪臭が発生するおそれがある。そこで、各高速ろ過槽３を別途順次逆洗するため、下水処理場の二次処理水を二次処理水供給管２１により共通処理水槽１３に補給する。そして、共通処理水槽１３がその二次処理水で所定量に達したら洗浄排水弁１８を開いて任意の一高速ろ過槽３を完全に洗浄する。更に、この繰り返しにより全ての高速ろ過槽３を完全に洗浄する。この洗浄は前述の雨天時ろ過と違い二次処理水を用いてろ材を完全に洗浄するため、悪臭等の発生が防止された状態で次回の雨水流入を待つことになる。
【００２７】
以上に説明したように、本発明の合流式下水道における雨水処理装置及び同雨水処理装置を用いた下水処理システムによれば、従来は簡易処理あるいは無処理で放流されていたＱを超える流入雨水のほとんどをろ過処理することができ、河川等の環境浄化に寄与することができる。また本発明の雨水処理装置は、合流式下水処理場の最初沈殿池を区画して設けることができるので、新たな土木構造物の構築，設置スペースの確保を必要としない利点がある。さらに本発明の雨水処理装置はほとんどメンテナンスフリーであり、特に降雨中の雨量変化に応じて人が対応すべき操作はなく自然に流量調整などが行なえるから、管理が容易でこれに伴う薬剤費，電気代，人件費等の増加はない利点がある。さらに本発明の逆洗方法によれば、共通処理水槽の処理水を利用して、装置全体の運転を停止することなく、各高速ろ過槽の逆洗を行なうことができる。
【発明の効果】
【００２８】
本発明は、下水と降雨水との合流式下水道の下水処理に用いられる雨水処理装置および該雨水処理装置を用いる下水処理システムに関し、近年増大の一途である合流式下水道の下水を確実に処理でき、河川等の環境浄化に寄与する点で産業上利用可能性が大である。
【図面の簡単な説明】
【図１】本発明の実施形態の雨水処理装置を示す平面図である。
【図２】図１の垂直断面図である。
【図３】雨水流入水路を示す垂直断面図である。
【図４】降雨開始時における雨水の流れを示す平面図及び断面図である。
【図５】降雨継続中における雨水の流れを示す平面図及び断面図である。
【図６】降雨継続中、１槽を逆洗中における雨水の流れを示す平面図及び断面図である。
【図７】本発明で用いることができる４枚の腕を持つろ材を示す。
【図８】本発明で用いることができる本発明で用いることができる断面四角形状の板状体の外周面に波上の凹凸を形成したろ材を示す。
【図９】本発明で用いることができる断面がＺ状のろ材を示す。
【図１０】本発明で用いることができるチューブ上のろ材を示す。
【図１１】本発明で用いることができる図７の羽根部分を変形した風車型のろ材を示す。
【図１】
0003824583.tif 000002
【図２】
0003824583.tif 000003
【図３】
0003824583.tif 000004
【図４】
0003824583.tif 000005
【図５】
0003824583.tif 000006
【図６】
0003824583.tif 000007
【図７】
0003824583.tif 000008
【図８】
0003824583.tif 000009
【図９】
0003824583.tif 000010
【図１０】
0003824583.tif 000011
【図１１】
0003824583.tif 000012